(57)【要約】【課題】受信不良が生じた際に、改善方法を提案することで、受信不良の改善を容易に行うことができる、放送受信装置を提供する。【解決手段】送信装置５００から送信される放送波を、放送衛星４００を介してパラボラアンテナ２１から受信し、受信した放送波の受信状態を検出して検出結果に基づき前記状態を良好状態に改善するための改善方法案を出力する制御部１０と、検出結果、及び、改善方法案を表示するための映像信号を出力する映像処理部６と、を有する。【選択図】図２
2019186834.tif 000002
【特許請求の範囲】
【請求項１】
アンテナから受信する放送波の受信状態を検出し、検出結果に基づき前記状態を良好状態に改善するための改善方法案を出力する制御部と、
前記検出結果及び前記改善方法案を表示するための映像信号を出力する映像信号出力部と、
を有する放送受信装置。
【請求項２】
前記制御部は、異なる複数の周波数帯域を代表するチャンネルごとに、前記放送波の受信状態を検出し、前記それぞれのチャンネルに関する検出結果に基づき前記改善方法案を決定することを特徴とする、請求項１に記載の放送受信装置。
【請求項３】
右旋円偏波の前記放送波と、左旋円偏波の前記放送波の両方の円偏波を受信可能であることを特徴とする、請求項２に記載の放送受信装置。
【請求項４】
前記検出結果と前記改善方法案とを、モバイル機器に表示可能に転送することを特徴とする、請求項１に記載の放送受信装置。
【請求項５】
前記改善方法案には、前記アンテナから受信した前記放送波の特性を調整して伝送するブースターの制御が含まれることを特徴とする、請求項４に記載の放送受信装置。
【請求項６】
アンテナから受信する放送波の受信状態を検出し、
前記検出結果に基づき前記状態を良好状態に改善するための改善方法案を出力し、
前記検出結果、及び、前記改善方法案を表示するための映像信号を出力する、
放送受信方法。
【発明の詳細な説明】
【技術分野】
【０００１】
本実施形態は、放送受信装置、及び、放送受信方法に関する。
【背景技術】
【０００２】
テレビジョン放送では、受信機（放送受信装置）は、受信処理設備を介して放送番組のコンテンツを受信する。放送番組のコンテンツは、ＩＦ信号（Ｉｎｔｅｒｍｅｄｉａｔｅ  Ｆｒｅｑｕｅｎｃｙ）を用いて、受信処理設備から放送受信装置へ搬送される。ここで、ＩＦ信号とは、受信信号処理設備が衛星放送から受信した放送波の周波数帯域を所定の中間周波数帯域に変換して得られる信号である。
【０００３】
衛星放送は、ＢＳアナログ放送からＢＳデジタル／１１０°ＣＳデジタル放送、そして、４Ｋ／８Ｋ放送（高度広帯域ＢＳ放送や高度広帯域ＣＳ放送）へと時代のニーズに応じて放送方式が変化し、多様化している。これらの放送方式は、ＩＦ信号の周波数帯域が互いに異なっている。そのため、放送受信装置は、それぞれの周波数帯域に対応した受信処理設備を備えていなければ、放送番組のコンテンツを受信できないことがある。
【０００４】
また、２０１８年１２月から日本にて本放送が開始される予定の４Ｋ／８Ｋ放送では、周波数の有効活用とサービスの拡充とを両立させるため、２０１８年１２月から左旋円偏波が利用開始される予定である。しかしながら、放送受信装置は、右旋円偏波成分と左旋円偏波成分とを取得するための受信設備に接続されるとは限らない。放送受信装置は、このような受信設備に接続されている場合には、放送波の受信不良を生じてしまう。
【０００５】
以上のように、新しい放送技術や放送方式が導入されたとき、受信不良の要因が新たに発生する場合がある。しかしながら、従来の放送受信装置では、受信不良が生じた場合に、受信不良の要因が特定できず、改善方法が不明瞭であるという問題があった。
【先行技術文献】
【特許文献】
【０００６】
【特許文献１】特開２０１０−７４７７７号公報
【特許文献２】特開２００４−３２６２１号公報
【発明の概要】
【発明が解決しようとする課題】
【０００７】
本実施形態は、受信不良が生じた際に、改善方法を提案することで、受信不良の改善を容易に行うことができる、放送受信装置、及び、放送受信方法を提供することを目的とする。
【課題を解決するための手段】
【０００８】
本実施形態の放送受信装置は、アンテナから受信する放送波の受信状態を検出し、検出結果に基づき前記状態を良好状態に改善するための改善方法案を出力する制御部と、前記検出結果、及び、前記改善方法案を表示するための映像信号を出力する映像信号出力部と、を有する。
【図面の簡単な説明】
【０００９】
【図１】本実施形態に係わる放送受信装置を用いた放送システム構成の一例を示す概略図。
【図２】実施形態に係る放送受信装置の構成の一例を示すブロック図。
【図３】受信状態の検知手順の一例を説明するフローチャート。
【図４】受信状態の改善提案内容の決定手順の一例を説明するフローチャート。
【図５】受信状態の改善提案の判定基準の一例を説明する表。
【図６】受信状態の改善提案の判定基準の一例を説明する表。
【図７】改善提案の表示画面の一例を説明する図。
【発明を実施するための形態】
【００１０】
以下、図面を参照して実施形態を説明する。
【００１１】
本発明の第１の実施形態について、図面を参照しながら説明する。
【００１２】
図１は、本実施形態に係る放送システム１００の構成を示す概略図である。放送システム１００は、１つ以上の送信装置５００ａ、５００ｂ、５００ｃと、受信設備２００と、放送受信装置１とを含んで構成される。なお、送信装置５００ａ〜５００ｃは３つでなくともよく、任意の数であってもよい。送信装置５００ａ〜５００ｃは、従来のＢＳ／ＣＳ／高度狭帯域ＣＳ放送の他、２０１８年１２月から日本にて本放送が開始される予定の高度広帯域ＢＳ放送や高度広帯域ＣＳ放送の送信を含む。
【００１３】
送信装置５００ａ、５００ｂ、５００ｃは、放送波を送信する装置である。送信装置５００ａ、５００ｂ、５００ｃは、放送伝送路６００を介して放送波を受信処理設備３００に送信する。送信装置５００ａ、５００ｂ、５００ｃは、例えば、放送事業者毎に設置される。
【００１４】
放送伝送路６００は、放送波を不特定多数の放送受信装置１に同時に伝送する伝送路である。放送伝送路６００は、放送衛星４００に積載された中継装置（図示せず）を含んで構成される。放送衛星４００には、放送専用の放送衛星であるＢＳ（Ｂｒｏａｄｃａｓｔｉｎｇ  Ｓａｔｅｌｌｉｔｅ）と、通信に用いられる通信衛星であるＣＳ（Ｃｏｍｍｕｎｉｃａｔｉｏｎ  Ｓａｔｅｌｌｉｔｅ）とがある。ＢＳとＣＳのどちらを用いるかは、周波数帯域のグループに応じて予め定められている。
【００１５】
中継装置は、送信装置５００から受信した放送波の周波数をシフトする装置である。また、中継装置は、受信設備２００が受信する放送波として、右旋回方向の偏波（右旋円偏波、右旋偏波）または左旋回方向の偏波（左旋円偏波、左旋偏波）を生成する装置である。右旋円偏波と左旋円偏波のどちらを用いるかは、放送波の種類や周波数帯域のグループに応じて予め定められている。
【００１６】
なお、放送伝送路６００の一部には、通信回線、例えば、送信装置５００から電波を送信するための送信設備までの通信回線が含まれてもよい。
【００１７】
受信設備２００は、受信処理設備３００と、ブースター４１と、分配器５１とを含んで構成される。
【００１８】
受信処理設備３００は、各送信装置５００が送信した放送波を、放送伝送路６００を介して受信するパラボラアンテナ２１と、パラボラアンテナ２１が受信した放送波による受信信号から、ＩＦ信号を生成する変換部３１を含んで構成される。
【００１９】
受信処理設備３００は、各送信装置５００が送信した放送波を、放送伝送路６００を介して受信する。受信処理設備３００は、受信した放送波をＩＦ信号に変換する。受信処理設備３００は、変換後のＩＦ信号を、例えばブースター４１や分配器５１を介して、放送受信装置１へ出力する。ここで、ブースター４１とは、入力された信号を増幅して出力する信号増幅器である。ブースター４１は、入力された信号を設定された利得で増幅して出力する。また、ブースター４１は、周波数特性を平坦にして出力するティルト調整機能も有する。一方で、ブースター４１は、出力信号に非線形の歪みを生じることがある。この歪みを生じる場合とは、例えば、入力信号の強度がブースター４１の許容レベルを超えている場合である。あるいは、ブースター４１の利得が高く設定されている場合である。分配器５１は、入力された高周波信号を、インピーダンス整合が乱れないようにしながら複数の出力信号に分配するものである。
【００２０】
なお、受信処理設備３００は、各家庭や事業所等に設置される。なお、マンションやビル等の施設毎に設置されことも、複数の施設の組毎に設置されることもある。
【００２１】
放送受信装置１には、テレビジョン受信機１ａ、１ｂや、テレビジョン放送を録画可能な録画機１ｃ、１ｄなどが含まれる。テレビジョン受信機１ａ、１ｂは、受信処理設備３００が出力したＩＦ信号に基づいて、番組のデータに含まれる映像及び音声の出力を行う。放送受信装置１は、各家庭や事業所等に設置される。
【００２２】
本実施形態では、放送波は、右旋回方向の偏波と左旋回方向の偏波を含む。放送受信装置１は、放送波が含む偏波の旋回方向毎のチャンネルについて、アンテナから受信した受信信号の状態を判定し、判定結果を示す信号状態情報を生成する。放送受信装置１は、一の旋回方向（例えば、左旋回方向）について、複数のチャンネルの信号状態情報を取得し、取得した信号状態情報に基づいて、放送波の受信不良の要因を特定する。
【００２３】
なお、放送受信装置１は、右旋回方向の偏波のみを受信可能なものと、左旋回方向の偏波まで受信可能なものとが混在する。自機より上流側に、右旋回方向の偏波のみを受信可能な受信機が配置されている場合、自機が左旋回方向の偏波まで受信可能であっても、左旋回方向の偏波は伝送されない。例えば、左旋回方向の偏波まで受信可能である放送受信装置１ａと分配器５１との間に、右旋回方向の偏波のみを受信可能な放送受信装置１ｃが配置されているある場合、左旋回方向の偏波は放送受信装置１ｃでロスしてしまうためにこれより下流に伝達されない。従って、放送受信装置１ａには左旋回方向の偏波が伝送されない。このような信号ロスを回避するため、放送受信装置１ｂ、１ｄのように、放送受信装置１は分配器５１と直接接続するように伝送網を配置することが望ましい。
【００２４】
次に、放送受信装置１の一例として、放送受信装置であるテレビジョン受信機１ａの構成について説明する。図２は、実施形態に係る放送受信装置の構成を示すブロック図である。
【００２５】
パラボラアンテナ２１は、ＢＳ／１１０°ＣＳ衛星放送である右旋回方向の偏波で伝送される現行放送や、４Ｋ／８Ｋ放送として計画されており、左旋回方向の偏波で伝送される、高度広帯域ＢＳ放送及び高度広帯域ＣＳ放送（以下、これらを高度広帯域放送という）を受信し、変換部３１やブースター４１、分配器５１を介して、現行放送や高度広帯域放送信号を放送受信装置１の入力端子２ａに供給する。入力端子２ａに入力された現行放送や高度広帯域放送信号はチューナ部Ｔｕに供給される。
【００２６】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された現行放送信号、または、高度広帯域放送信号の中から所望のチャンネルの放送信号を選局し、選局した信号を信号処理部３に出力する。信号処理部３は、入力された放送信号を復調する。
【００２７】
図２の例では１つの現行放送、及び、高度広帯域放送に対応するパラボラアンテナ２１のみを示したが、地上デジタル放送、ＢＳ／１１０°ＣＳ衛星放送、高度広帯域ＢＳ／ＣＳ放送に対応するアンテナを設けて、各アンテナからの信号をチューナ部Ｔｕに供給するようになっていてもよい。この場合には、信号処理部３は、各放送の変調方式に対応した復調を行う。これにより、信号処理部３において、各放送信号のストリームが得られる。なお、図２では各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００２８】
例えば、高度広帯域放送信号については、信号処理部３の復調によってＴＬＶ（Ｔｙｐｅ  Ｌｅｎｇｔｈ  Ｖａｌｕｅ ）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Ｅｎｔｉｔｌｅｍｅｎｔ  Ｃｏｎｔｒｏｌ  Ｍｅｓｓａｇｅ），ＥＭＭ（Ｅｎｔｉｔｌｅｍｅｎｔ  Ｍａｎａｇｅｍｅｎｔ  Ｍｅｓｓａｇｅ）を含む各種メッセージを抽出する。
【００２９】
また、信号処理部３は、地上デジタル放送信号等の現行放送信号については、復調処理によってトランスポートストリーム（ＭＰＥＧ−２  Ｓｙｓｔｅｍｓ規格により多重されたトランスポートストリーム）を抽出する。信号処理部３は、トランスポートストリームから映像データ及び音声データを抽出すると共に、ＥＣＭ，ＥＭＭを含む各種メッセージを抽出するようになっている。
【００３０】
放送受信装置１にはＣＡＳモジュール１５が設けられている。ＣＡＳモジュール１５は、限定受信方式の制御のために用いられる。ＣＡＳモジュール１５は、放送受信装置１に内蔵されたチップ上に搭載されて構成される場合もあり、また、ＣＡＳモジュールが組み込まれた基板によって構成されて、放送受信装置１に設けた図示しないスロットに当該基板を挿入することで限定受信機能を実現する場合も考えられる。また、ＣＡＳモジュール１５は、高度広帯域放送の限定受信機能と現行放送の限定受信機能の両方の機能を有する場合や、高度広帯域放送の限定受信機能のみを備え、現行放送の限定受信機能については、ＩＣカード２３としてのＣＡＳカードにより実現する場合もある。
【００３１】
信号処理部３は、各放送方式の抽出された映像及び音声に対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。
【００３２】
ＯＳＤ信号生成部５は、制御部１０から与えられた情報に基づいて、スーパーインポーズ表示するための画像情報（ＯＳＤ信号）を生成してグラフィック処理部４に供給する。グラフィック処理部４は、信号処理部３からのデジタルの映像データと、ＯＳＤ信号生成部５からのＧＵＩ（Ｇｒａｐｈｉｃａｌ  Ｕｓｅｒ  Ｉｎｔｅｒｆａｃｅ)に基づくウィンドウ描画とを管理して、映像データに基づく画像上にデータ放送やＧＵＩに基づく画像等を重ね合わせ、重ね合わせた画像を映像処理部６に送る。
【００３３】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するため画像生成処理を行うことができる。
【００３４】
映像信号出力部としての映像処理部６は、制御部１０に制御されて、グラフィック処理部４からのデジタル映像信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００３５】
また、音声処理部７は、信号処理部３からのデジタルの音声データを、スピーカー９で再生可能なアナログ音声信号に変換した後、スピーカー９に出力して音声を再生させる。なお、放送受信装置がセット・トップ・ボックス等の場合には、映像表示部８やスピーカー９を備えている必要はない。
【００３６】
放送受信装置１にはカードインタフェース（Ｉ／Ｆ）１３、通信Ｉ／Ｆ１６、ＵＳＢ  Ｉ／Ｆ１７及びＨＤＭＩ  Ｉ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカード（以下、Ｂ−ＣＡＳカードという）を採用した場合には、カードＩ／Ｆ１３は、現行放送のデスクランブルに関するデータの送受を行う。
【００３７】
通信Ｉ／Ｆ１６は、電話回線やＬＡＮ等の所定の通信路に対応したインタフェースである。
【００３８】
また、ＨＤＭＩ  Ｉ／Ｆ１８は、ＨＤＭＩ（登録商標）規格に対応したインタフェースであり、端子２ｄを介して図示しない外部機器に接続されて外部機器からのＨＤＭＩ（登録商標）信号を受信して制御部１０に出力したり、制御部１０からのＨＤＭＩ（登録商標）信号を、端子２ｄを介して外部機器に出力したりすることができる。
【００３９】
ＵＳＢ  Ｉ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢ  Ｉ／Ｆ１７及び端子２ｃを介して映像データをＨＤＤ２４に与えて記録させることが可能である。
【００４０】
なお、放送受信装置１に内蔵した図示しないＨＤＤや光ディスクディスクドライブ、ＳＤ（登録商標）カードリーダライタ等によって記録部を構成した場合には、制御部１０は、放送番組の信号をこれらの各記録部に記録することも可能である。
【００４１】
例えば、制御部１０は、ユーザによって放送番組の録画が指定された場合には、信号処理部３によって取得されたデスクランブル後の番組データ（映像及び音声データ）をＵＳＢ  Ｉ／Ｆ１７を介してＨＤＤ２４に与えて記録させることができるようになっている。なお、制御部１０は、放送番組の記録をスタンバイ状態（機能待機状態）においても実行することができるようになっている。
【００４２】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ２２からユーザ操作に基づく操作信号を受信し、受信した操作信号を制御部１０に出力する。制御部１０は、操作部１１及び受信部１２からの操作信号に基づいて、受信装置１の各部を制御する。例えば、リモートコントローラ２２によって、アップ／ダウンキーやワンタッチ選局キー等によって受信チャンネル番号を指定する操作が行われた場合には、各チューナＴｕｎは、受信部１２からの操作信号に応じた選局動作を行う。
【００４３】
操作部１１及びリモートコントローラ２２には、放送受信装置１の電源のオン，オフ操作を行うための図示しない電源スイッチが配設されている。放送受信装置１には、各部に電源を供給するための図示しない電源回路が設けられており、制御部１０は、電源スイッチが操作されることで、各部への電源供給を制御して、スタンバイ状態に設定するようになっている。
【００４４】
なお、スタンバイ状態では、少なくとも図２のグラフィック処理部４、ＯＳＤ信号生成部５、映像処理部６、音声処理部７、映像表示部８及びスピーカー９については動作停止状態となり、制御部１０は動作していてもユーザは放送番組の視聴はできない。なお、本実施の形態を、高度広帯域放送を受信して映像及び音声を出力するデコーダに適用した場合には、スタンバイ状態は、映像及び音声データの出力停止状態を意味する。
【００４５】
制御部１０は、スタンバイ状態において、例えば、以下のように、各種機能を実現することが可能である。例えば、制御部１０は、スタンバイ状態であっても、告知情報に基づいて、自身のタイマーにてダウンロードコンテンツ情報の受信に必要な回路に電源を供給し、ダウンロードコンテンツをダウンロードし、ダウンロード終了時に立ち上げた電源を切る電源制御機能を有する。また、制御部１０は、電源スイッチのオフ操作が行われてスタンバイ状態に移行する場合であっても、必要な回路の通電を保持し、ダウンロードコンテンツをダウンロードし、ダウンロード終了時に電源を切る電源制御機能を有する。
【００４６】
また、制御部１０は、ＥＭＭ取得のために、上述した通電制御機能と同様の動作を行うことも可能である。
【００４７】
また、制御部１０は、スタンバイ状態において、チャンネルサーチによるＥＰＧ情報の取得が可能である。
【００４８】
また、制御部１０は、スタンバイ状態においてＴＭＣＣを受信し、ＴＭＣＣの起動制御ビットが１の場合も受信チャンネルのＭＰＴにある緊急情報記述子（ＭＨ）を監視することで、緊急警報放送（ＥＷＳ）の受信処理を行うことが出来る。
【００４９】
また、制御部１０は、受信者による各種予約動作（番組予約など）を実行することができる。
【００５０】
制御部１０は、更に、放送受信装置１が受信する放送波の周波数帯域において、低域から高域までの間の所定のサーチ範囲内の複数の物理チャンネルにおいて、放送信号の受信状態確認を行い、信号レベルの改善提案を行う。放送信号の受信状態の確認は、チューナ部Ｔｕが選局したチャンネルを、信号処理部３のデモジュレータが検知（ＬＯＣＫ）することで、信号の有無を判定する。信号を検出した場合、所定の物理チャンネルに係るＩＦ周波数帯域成分の信号レベル（信号強度）と、ＣＮ（Ｃａｒｒｉｅｒ  ｔｏ  ｒａｔｉｏ）とを算出し、予め設定されている推奨値と比較することにより、安定した受信状況であるか否かを判断する。また、復調した信号にエラーが存在しない場合、該チャンネルを正常に受信していると判断する。エラーが存在する場合には、未受信であると判断する。なお、受信状態の確認は、信号レベル、ＣＮ以外の指標（例えば、ＢＥＲ（Ｂｉｔ  Ｅｒｒｏｒ  Ｒａｔｅ）など）を組み合わせて用いてもよい。
【００５１】
図３は、受信状態の検知手順の一例を説明するフローチャートである。まず、制御部１０は、ＲＡＭ１０ａ、または不揮発性メモリ１０ｃに、各チャンネルの受信状態のデータが保存されているか否かを確認する（Ｓ１）。受信状態のデータとは、信号レベル、ＣＮなど、予め受信状態を判断するために用いる指標として特定された項目のデータを指す。データが保持されている場合（Ｓ１、ＹＥＳ）、該データと共に、初期状態における受信状態のデータを抽出し、映像表示部８の表示画面に表示する（Ｓ２）。なお、初期状態のデータとは、受信状態確認以前に、視聴や録画、チャンネル情報取得などの通常動作において取得した、各チャンネルの信号レベルやＣＮのことである。
【００５２】
受信状態のデータが保持されていない場合（Ｓ１、ＮＯ）、及び、初期状態における受信状態のデータの表示（Ｓ２）が終了すると、Ｓ３に進み、受信状態のデータの取得を行う。受信状態を確認するチャンネルとして、全チャンネルを確認するよう設定されている場合（Ｓ３、ＹＥＳ）、設定されている全チャンネルについて、信号レベルとＣＮとを取得する（Ｓ４）。
【００５３】
一方、全チャンネルを確認する旨の設定がなされていない場合（Ｓ３、ＮＯ）、周波数帯域の代表チャンネルとして設定されているチャンネルの、信号レベルとＣＮとを取得する（Ｓ５）。なお、Ｓ４、Ｓ５において取得した受信状態データは、映像表示部８の表示画面に表示する。受信状態の表示については、後に詳述する。
【００５４】
次に、信号レベルの改善提案を行う方法について説明する。受信可能と推定される周波数帯域から、改善提案に適切なチャンネルを選択し、該チャンネルの受信状態（信号レベル、ＣＮなど、予め設定された指標のデータ）を検知する。それぞれのチャンネルの検知結果が、受信状態が良好であるか、受信はできるが推奨値以下の状態であるか、受信信号が検知されない受信不可状態であるかを判別することにより、信号レベルを改善する方法を特定することができる。
【００５５】
図４は、受信状態の改善提案内容の決定手順の一例を説明するフローチャートである。図４の手順は、ＢＳ／１１０°ＣＳ衛星放送である現行放送（右旋）と、４Ｋ／８Ｋ放送として計画されている高度広帯域ＢＳ／ＣＳ放送（左旋）を想定し、信号レベル改善案を提示する場合の手順について、例示している。
【００５６】
ＢＳ／１１０°ＣＳ衛星放送に含まれるチャンネル情報をもとに、右旋ＢＳ／ＣＳのＩＦ、左旋ＢＳ／ＣＳのＩＦから、改善提案に適切なチャンネルを選択する。例えば、２０１８年４月時点では、右旋ＢＳ／ＣＳの確認チャンネルとしては、ＢＳ１５（ＢＳ１０３）、無料放送であるＮＤ４（ＣＳ１００）、ＮＤ２２（ＣＳ１６１）を、それぞれ右旋ＢＳ帯域、右旋ＣＳの低域、右旋ＣＳの高域の確認チャンネルとして選択することができる。
【００５７】
また、左旋ＢＳ／ＣＳの確認チャンネルとしては、右旋偏波内で試験放送を行っているＢＳ１７、左旋波の高度広帯域ＢＳ／ＣＳ放送のＣＳのチャンネル（ＮＤ２３など）を、それぞれ左旋ＢＳ帯域、左旋ＣＳ帯域の確認チャンネルとして選択することができる。なお改善提案に選択するチャンネルは、これらに限定されない。
【００５８】
まず、右旋ＢＳの確認用として設定されているチャンネルを選局する（Ｓ１１）。右旋ＢＳは、ＢＳアナログ放送時代に使用されていたＢＳ専用アンテナで受信できるため、最初にこのチャンネルの受信状態を確認する。信号レベルやＣＮが推奨値以上であり、受信状態が良好であると判定される場合（Ｓ１２、ＹＥＳ）、Ｓ１６に進む。
【００５９】
一方、信号レベルやＣＮが推奨値未満であり、受信状態が良好でないと判定される場合（Ｓ１２、ＮＯ）、Ｓ１３に進み、パラボラアンテナ２１が個人設置のアンテナ、すなわち、角度調整が可能なアンテナであるか否かを判定する。角度調整可能なアンテナである場合（Ｓ１３、ＹＥＳ）、設置角度を調整する（Ｓ１４）。集合住宅のアンテナなど、角度調整が不可能な場合（Ｓ１３、ＮＯ）、Ｓ１６に進み、他の改善方法の模索を行う。
【００６０】
設置角度調整が可能な場合、角度調整後に信号レベルやＣＮを再度測定し、最大値になっているか否かを判定する（Ｓ１５）。最大値になっていない場合（Ｓ１５、ＮＯ）、Ｓ１４に戻って、再度アンテナの角度調整を行う。信号レベルやＣＮが最大値になったら（Ｓ１５、ＹＥＳ）、アンテナの角度調整を終了し、Ｓ１６に進む。
【００６１】
Ｓ１６では、再び受信状態の確認を行う。アンテナの角度調整などにより、受信状態が良好である場合（Ｓ１６、ＹＥＳ）、Ｓ２２に進み、他に受信状況を確認する帯域があるか否かを判定する（Ｓ２２）。受信状態が良好でない場合（Ｓ１６、ＮＯ）、Ｓ１７に進み、改善方法を模索する。パラボラアンテナ２１から放送受信装置１までの接続状態が確認されていない場合には（Ｓ１７、ＮＯ）、接続状態を確認するよう、改善提案を行う（Ｓ１８）。接続状態が確認されている場合（Ｓ１７、ＹＥＳ）、確認を行っているチャンネルの調整がなされているか否かを判定する（Ｓ１９）。
【００６２】
調整がすでになされている場合（Ｓ１９、ＹＥＳ）、使用機器の交換を提案する（Ｓ２１）。調整がなされていない場合（Ｓ１９、ＮＯ）、ブースター４１のゲイン調整、またはティルト補正を行うよう、改善提案を行う（Ｓ２０）。右旋ＢＳの帯域のチャンネルの場合、信号レベルが低い状態であるので、ブースター４１のゲイン調整を改善提案する。
【００６３】
改善提案が行われて改善が実施されるか、当該チャンネルの受信状態が良好である場合、Ｓ２２に進み、他に受信状況を確認する帯域があるか否かを判定する（Ｓ２２）。通常、低周波数帯域のチャンネルから高周波数帯域のチャンネルへ、周波数帯域を移動して（順次切り替えて）受信状態の確認を行う。従って、上述の場合、右旋ＣＳの低域のチャンネルをセットして（Ｓ２３）、Ｓ１６からＳ２１の一連の手順を繰り返することで受信状態を確認しながら必要に応じて改善提案を行う。右旋ＣＳの低域のチャンネルが終了すると、右旋ＣＳの高域のチャンネルをセットして（Ｓ２３）、受信状態を確認する。
【００６４】
放送受信装置１が高度広帯域ＢＳ／ＣＳ対応の機器でない場合、右旋の周波数帯域のチャンネルに関して受信状態の確認を終えると、改善提案決定の一連の手順を終了する。放送受信装置１が高度広帯域ＢＳ／ＣＳ対応の機器である場合、右旋ＣＳの高域のチャンネルの受信状態の確認を終了すると、左旋ＢＳ、ＣＳの各帯域のチャンネルを順にセットして受信状態を順に確認し、受信状態が良好でないと判定された場合は、改善提案を模索し、決定する。
【００６５】
図５、図６は、受信状態の改善提案の判定基準の一例を説明する表である。図５、図６は、図４に示す手順に従って各周波数帯域のチャンネルの受信状態を確認した結果と、それぞれの結果について推定される状態と、受信状態を良好にするための改善提案とを表にまとめたものである。図５は、放送受信装置１が高度広帯域ＢＳ／ＣＳ対応の機器でない場合の改善提案の判定基準を示しており、図６は、放送受信装置１が高度広帯域ＢＳ／ＣＳ対応の機器である場合の改善提案の判定基準を示している。これらの判断基準は、制御部１０の不揮発性メモリ１０ｃなどに設定されており、必要に応じて読みだされる。
【００６６】
なお、図５、図６において、左側に示す周波数帯域（右旋ＩＦ−ＢＳ、右旋ＩＦ−ＣＳ（Ｌｏｗ）、右旋ＩＦ−ＣＳ（Ｈｉｇｈ）、左旋ＩＦ−ＢＳ、左旋ＩＦ−ＣＳ）の下の記号は、それぞれの周波数帯域の代表チャンネルにおける受信状態を示している。丸印は受信状態が良好であることを示し、三角印は、推奨値以下であるが受信は可能であることを示している。また、バツ印は、受信不可の状態を示している。ひとつの欄内に二つ以上の記号が記されている場合は、記されている記号が示す状態のいずれかであることを示している。例えば、丸印と三角印が記されている場合、受信状態が良好、あるいは、良好でないものの受信可能な状態、であることを示している。また、横棒の印は、他の周波数帯域の結果を用いて改善提案の判定が可能であり、当該周波数帯域の受信状態の確認が不要であることを示している。
【００６７】
例えば、図５において、右旋ＢＳの周波数帯域が良好でないものの受信可能な状態である場合、信号レベルが低い状態であると推定されるため、改善提案としてブースター４１のゲイン調整が提示される。また、右旋ＢＳの周波数帯域の受信状態が良好であるが、右旋ＣＳの低域は良好でないものの受信可能な状態であり、また、右旋ＣＳの高域も受信状態が良好でない場合、パラボラアンテナ２１がＢＳ専用アンテナであるか、または、通常ＢＳ／ＣＳアンテナであるが、信号の減衰が非常に大きい状態のいずれかであると推定される。従って、まずはブースター４１のティルト補正を改善提案し、それでも状態が改善されない場合、アンテナを通常ＢＳ／ＣＳアンテナ（１１０°ＣＳにも対応しているアンテナ）に交換するよう、改善提案を提示する。
【００６８】
なお、右旋ＢＳ、右旋ＣＳ（低域、高域）すべての周波数帯域において受信状態が良好な場合は、正常であると判断し、改善提案は行わない。
【００６９】
放送受信装置１が高度広帯域ＢＳ／ＣＳ対応の機器である場合、右旋ＢＳ、右旋ＣＳ（低域、高域）の受信状態に加えて、左旋ＢＳ、左旋ＣＳの受信状態も確認する。右旋の周波数帯域の受信状態が良好であるが、左遷ＢＳは受信可能なものの良好な状態でない場合、パラボラアンテナ２１が高度広帯域ＢＳ／ＣＳ放送に対応していない通常ＢＳ／ＣＳアンテナであると推定されるため、高度広帯域ＢＳ／ＣＳ対応アンテナへの交換を改善提案する。
【００７０】
また、右旋ＣＳの高域の受信状態が、受信不可ではないものの良好ではない場合、高周波数帯域の信号レベルが低くなっていると推定されるので、改善提案としてブースター４１のティルト補正が提示される。ティルト補正をしても改善されない場合、パラボラアンテナ２１から放送受信装置１までの経路中に、高度広帯域ＢＳ非対応の製品が存在する可能性があると推定されるので、経路中の全ての機器を高度広帯域ＢＳ／ＣＳ対応製品に交換するか、分配器５１に直接、放送受信装置１を接続するよう、改善提案を行う。
【００７１】
更に、右旋の周波数帯域、及び、左旋ＢＳの受信状態が良好であるが、左旋ＣＳは受信可能なものの良好な状態でない場合、高周波数帯域の信号レベルが低くなっていると推定されるので、改善提案としてブースター４１のティルト補正が提示される。
【００７２】
なお、右旋ＢＳ、右旋ＣＳ（低域、高域）、左旋ＢＳ、左旋ＣＳすべての周波数帯域において受信状態が良好な場合は、正常であると判断し、改善提案は行わない。
【００７３】
これらの改善提案は、受信状態のデータと共に、映像表示部８の表示画面に表示される。図７は、改善提案の表示画面の一例を説明する図である。受信状態を確認すると、表示画面には、信号レベルの周波数特性８１が表示される。周波数特性は、受信状態を確認したチャンネルについて、それぞれの信号レベルが例えば棒グラフ状に表示される。各信号レベルは、推奨値を超えており受信状態が極めて良好である状態、推奨値を超えているが、余裕がない状態、推奨値以下であり、エラーが起きている状態、受信不可の状態、などが一目で識別できるように、それぞれの状態で色や模様を変えて表示する。
【００７４】
図７においては、推奨値を超えており受信状態が極めて良好である状態は白抜きの棒で示し、エラーが起きている状態は灰色の棒で示し、受信不可の状態は黒色の棒で示している。また、推奨値を点線で併記することで、信号レベルの余裕具合を視覚的にとらえやすくしている。更に、周波数特性の傾向を一点鎖線で示す直線で併記し、全てのレベルで推奨値を超え、低域から高域までレベル差が小さい状態にするための、周波数特性の補正方向を矢印で示すことで、改善の方向性も視覚的にとらえやすくしている。
【００７５】
また、表示画面には、信号レベルの周波数特性８１と共に、図４の手順、及び、図５、図６の判定基準を用いて決定された改善提案８２が、表示される。このように、現在の信号レベルと共に改善提案を表示画面に明示することで、ユーザが受信不良の改善を容易に行うことが可能となる。
【００７６】
なお、信号レベルの周波数特性８１と改善提案８２とは、映像表示部８の表示画面に表示させるだけでなく、スマートフォンなどのモバイル機器に転送して表示させることができる。受信状態の改善を行うためにゲイン調整やティルト補正を行うブースター４１は、一般的に、家屋の屋根裏など人目につかない場所に設置されている。従って、映像表示部８の表示画面をみながらブースター４１の調整を行うことは困難である。これに対し、本実施形態では、改善方法や受信状態の測定結果をモバイル機器で見ることができるので、放送受信装置１から離れた場所でも効率よく作業することができる。
【００７７】
このように、本実施形態の放送受信装置１によれば、受信状態の改善提案の判断基準を制御部１０に予め登録しておき、受信状態の確認を行う際に取得した信号レベルの周波数特性を、同判断基準と照合することにより、自動的に改善方法を取得することが可能な仕組みを有する。従って、受信不良が生じた際に、受信状態の確認を行うことで、改善方法が提示されるため、受信不良の要因特定や改善案の模索の一助となり、改善を容易に行うことができる。また、受信状態の測定結果や改善提案を、表示画面だけでなく、モバイル機器に転送して表示させることを可能としているので、放送受信装置１から離れた場所での改善作業が容易になり、作業効率が向上する。
【００７８】
本発明のいくつかの実施形態を説明したが、これらの実施形態は、一例として示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７９】
１…放送受信装置、１ａ、１ｂ…テレビジョン受信機、１ｃ、１ｄ…録画機、２ａ…入力端子、２ｂ、２ｃ、２ｄ…端子、３…信号処理部、４…グラフィック処理部、５…信号生成部、６…映像処理部、７…音声処理部、８…映像表示部、９…スピーカー、１０…制御部、１０ｃ…不揮発性メモリ、１１…操作部、１２…受信部、１４…カードホルダ、１５…ＣＡＳモジュール、２１…パラボラアンテナ、２２…リモートコントローラ、２３…カード、３１…変換部、４１…ブースター、５１…分配器、８１…信号レベルの周波数特性、８２…改善提案、１００…放送システム、２００…受信設備、３００…受信処理設備、４００…放送衛星、５００ａ、５００ｂ、５００ｃ…送信装置、６００…放送伝送路。
【図１】
2019186834.tif 000003
【図２】
2019186834.tif 000004
【図３】
2019186834.tif 000005
【図４】
2019186834.tif 000006
【図５】
2019186834.tif 000007
【図６】
2019186834.tif 000008
【図７】
2019186834.tif 000009